(57)【要約】      （修正有）【課題】衣類の乾燥速度を向上させられる知能型物干し枠の提供。【解決手段】知能型物干し枠箱体１と、昇降ベルト２と、物干し竿固定柱３と、物干し竿４と、手動スイッチ５とを備え、物干し竿固定柱３の数量は２つであり、２つの物干し竿固定柱３は、知能型物干し枠箱体１の底部で平行に設けられ、物干し竿４は２つの物干し竿固定柱３の間に接続され、知能型物干し枠箱体１の内部には、主制御器と、温風ファン１１と、昇降ベルト駆動モジュールとが設けられており、主制御器は温風ファン１１と接続され、温風ファン１１の出風口は物干し竿４に向いており、物干し竿固定柱３には、主制御器と接続され且つ物干し竿４の周囲の空気湿度を検出する湿度センサー３１が設けられている。【選択図】図２
0003221820.tif 000002
【実用新案登録請求の範囲】
【請求項１】
知能型物干し枠箱体と、昇降ベルトと、物干し竿固定柱と、物干し竿と、手動スイッチと、を備え、
前記物干し竿固定柱の数量は２つであり、２つの前記物干し竿固定柱は、前記知能型物干し枠箱体の底部で平行に設けられ、前記物干し竿は、２つの前記物干し竿固定柱の間に接続され、
前記知能型物干し枠箱体と前記物干し竿固定柱との間は２本の前記昇降ベルトによって接続され、前記昇降ベルトの頂端は、前記知能型物干し枠箱体の内部に接続され、前記昇降ベルトの底端は、前記物干し竿固定柱の頂部に接続され、
前記知能型物干し枠箱体の内部には、主制御器と、温風ファンと、昇降ベルト駆動モジュールと、が設けられており、前記主制御器は前記温風ファンと接続され、前記温風ファンの出風口は前記物干し竿に向いており、
前記手動スイッチは、前記昇降ベルト駆動モジュールと接続され且つ前記昇降ベルト駆動モジュールのオン／オフを制御するものであり、前記昇降ベルト駆動モジュールは、前記昇降ベルトと接続され且つ前記物干し竿の上昇や下降を制御するものであり、
前記物干し竿固定柱には、前記主制御器と接続され且つ前記物干し竿の周囲の空気湿度を検出する湿度センサーが設けられており、前記空気湿度が予め設定の湿度閾値よりも高い場合、前記主制御器は前記温風ファンが起動するように制御して、前記物干し竿の周囲へ温風を出風させることを特徴とする知能型物干し枠。
【請求項２】
前記物干し竿固定柱には、前記主制御器と接続され且つ前記物干し竿の周囲の空気温度を検出する温度センサーがさらに設けられており、前記空気温度が予め設定の温度閾値よりも低い場合、前記主制御器は前記温風ファンが起動するように制御して、前記物干し竿の周囲へ温風を出風させることを特徴とする請求項１に記載の知能型物干し枠。
【請求項３】
前記物干し竿固定柱には、前記主制御器と接続され且つ前記物干し竿の周囲の空気流速を検出する風速センサーがさらに設けられており、前記空気流速が予め設定の流速閾値よりも低い場合、前記主制御器は前記温風ファンが起動するように制御して、前記物干し竿の周囲へ温風を出風させることを特徴とする請求項１に記載の知能型物干し枠。
【請求項４】
前記物干し竿固定柱の底部に、前記主制御器と接続され且つ前記昇降ベルトの下降過程において前記物干し竿の下方に人間が近接しているかを検出する焦電型赤外線センサーがさらに設けられており、前記物干し竿の下方に人間が近接している場合、前記主制御器は、前記昇降ベルトの下降が停止するように、前記昇降ベルト駆動モジュールを制御することを特徴とする請求項１に記載の知能型物干し枠。
【請求項５】
前記知能型物干し枠箱体の内部の両端には、それぞれ１つの前記昇降ベルト駆動モジュールが設けられており、前記昇降ベルト駆動モジュールは、従動ギアと、主動ギアと、モーターと、ギア付軸と、２つの昇降ベルト用ウインチと、を備え、前記２つの昇降ベルト用ウインチ及び前記従動ギアは前記ギア付軸に設けられ、前記従動ギアは前記２つの昇降ベルト用ウインチの間に位置し、前記モーターは、その出力軸に設けられた前記主動ギアが前記従動ギアと噛合するように前記従動ギアの一側に設けられ、前記物干し竿固定柱に接続された２本の前記昇降ベルトの頂端は、それぞれ前記２つの昇降ベルト用ウインチに接続されることを特徴とする請求項１に記載の知能型物干し枠。
【請求項６】
前記知能型物干し枠箱体の内部には、前記手動スイッチと接続され且つ出風口が前記物干し竿に向くイオンファンが設けられていることを特徴とする請求項１に記載の知能型物干し枠。
【請求項７】
前記知能型物干し枠箱体の内部には、前記手動スイッチと接続され且つ底部が前記物干し竿に向く殺菌用ＵＶランプが設けられていることを特徴とする請求項６に記載の知能型物干し枠。
【請求項８】
前記知能型物干し枠箱体の内部には、前記手動スイッチと接続され且つ底部が前記物干し竿に向くＬＥＤランプが設けられていることを特徴とする請求項７に記載の知能型物干し枠。
【請求項９】
前記知能型物干し枠は、前記主制御器と通信接続され且つ前記温風ファン、前記昇降ベルト駆動モジュール、前記イオンファン、前記殺菌用ＵＶランプ及び前記ＬＥＤランプのオン／オフを制御する移動制御端末をさらに備えることを特徴とする請求項８に記載の知能型物干し枠。
【請求項１０】
前記物干し竿には、前記物干し竿の長手方向に均一に分布され且つ前記物干し竿の頂部から下方に窪んだ凹槽が設けられていることを特徴とする請求項１に記載の知能型物干し枠。
【考案の詳細な説明】
【技術分野】
【０００１】
本実用新案は、知能型家庭用品技術分野に関し、特に知能型物干し枠に関するものである。
【背景技術】
【０００２】
物干し枠は、衣類を干す道具として、現在多くの家庭の生活必需品となった。図１は、従来の物干し枠の構成を示す図であり、この物干し枠は、棒体１００と、ワイヤ２００と、ガイドモジュール３００と、操作モジュール４００と、を備える。ガイドモジュール３００は、天井及び壁面に設けられ、操作モジュール４００は、通常壁面に設けられる。ワイヤ２００の一端は、ワイヤ２００で棒体１００を天井の下方に吊り上げるように棒体１００に接続され、ワイヤ２００の他端は、ガイドモジュール３００を経由して操作モジュール４００に接続される。棒体１００に対する衣類の掛けや取り外しのために、使用者が操作モジュール４００の取手を回動させることによって、ワイヤ２００を巻き上げたり巻き下げたりして棒体１００の高さを調節する。
【０００３】
しかしながら、上記の従来の物干し枠には、衣類を掛ける性能のみがあるので、衣類が乾く速度を向上させることはできなかった。使用者が物干し枠に衣類を干したとき、使用者が着用しようとする衣類がまだ乾いていない状況がよくある。特に、（中国の）南方地区において、室内の空気湿度が高いので、衣類の乾く速度が遅く、衣類を乾かすことに必要な時間が長くなって、衣類の乾く前の比較的長い時間においては使用者がその衣類を着用することができない。
【考案の概要】
【考案が解決しようとする課題】
【０００４】
本実用新案の目的は、衣類の乾燥速度を向上させられないという従来の問題を解決するための知能型物干し枠を提供することである。
【課題を解決するための手段】
【０００５】
本実用新案が提供する知能型物干し枠は、知能型物干し枠箱体と、昇降ベルトと、物干し竿固定柱と、物干し竿と、手動スイッチと、を備え、
前記物干し竿固定柱の数量は２つであり、２つの前記物干し竿固定柱は、前記知能型物干し枠箱体の底部で平行に設けられ、前記物干し竿は、２つの前記物干し竿固定柱の間に接続され、
前記知能型物干し枠箱体と前記物干し竿固定柱との間は２本の前記昇降ベルトによって接続され、前記昇降ベルトの頂端は、前記知能型物干し枠箱体の内部に接続され、前記昇降ベルトの底端は、前記物干し竿固定柱の頂部に接続され、
前記知能型物干し枠箱体の内部には、主制御器と、温風ファンと、昇降ベルト駆動モジュールと、が設けられており、前記主制御器は前記温風ファンと接続され、前記温風ファンの出風口は前記物干し竿に向いており、
前記手動スイッチは、前記昇降ベルト駆動モジュールと接続され且つ前記昇降ベルト駆動モジュールのオン／オフを制御するためのものであり、前記昇降ベルト駆動モジュールは、前記昇降ベルトと接続され且つ前記物干し竿の上昇や下降を制御するためのものであり、
前記物干し竿固定柱には、前記主制御器と接続され且つ前記物干し竿の周囲の空気湿度を検出するための湿度センサーが設けられており、前記空気湿度が予め設定の湿度閾値よりも高い場合、前記主制御器は前記温風ファンが起動するように制御して、前記物干し竿の周囲へ温風を出風させる。
【考案の効果】
【０００６】
実際の応用において、使用者が手動スイッチで昇降ベルト駆動モジュールが運転するように制御して、物干し竿を昇降ベルトに連動させて適当な高さまで下降させて、干そうとする衣類を物干し竿に掛ける。その後、手動スイッチで制御して物干し竿を適当な高さまで上昇させて衣類を乾かす。衣類を干し乾かす過程において、湿度センサーで物干し竿の周囲の空気湿度を検出し、空気湿度が予め設定の湿度閾値よりも高い場合、主制御器は温風ファンが起動するように制御して、前記物干し竿の周囲へ温風を出風させ、これにより、衣類の近くの空気温度及び空気流速を向上させて、衣類における水分の蒸発を加速させるので、衣類の乾く速度を向上させることができる。
【図面の簡単な説明】
【０００７】
【図１】従来の物干し枠の構成を示す図である。
【図２】本実用新案の実施例に係る知能型物干し枠の構成を示す図である。
【図３】図２のＡ部分の局部拡大図である。
【図４】本実用新案の実施例に係る知能型物干し枠の物干し竿が上昇した状態を示す図である。
【図５】本実用新案の実施例に係る知能型物干し枠の物干し竿の断面図である。
【図６】本実用新案の実施例に係る知能型物干し枠の内部構成を示す図である。
【図７】本実用新案の実施例に係る知能型物干し枠において主制御器との関連部材の構成ブロック図である。
【図８】本実用新案の実施例に係る知能型物干し枠において手動スイッチとの関連部材の構成ブロック図である。
【図９】本実用新案の実施例に係る知能型物干し枠の使用態様を示す図である。
【考案を実施するための形態】
【０００８】
図２、図３及び図４に示すように、本実用新案の実施例に係る知能型物干し枠は、知能型物干し枠箱体１と、昇降ベルト２と、物干し竿固定柱３と、物干し竿４と、手動スイッチ５と、を備える。具体的には、知能型物干し枠箱体１は、長方体状となることができ、知能型物干し枠箱体１の外壁にはＬ状の接続部材１５が設けられ、接続部材１５の一端は、ボルトによって知能型物干し枠箱体１の側壁に固定され、接続部材１５の他端は、鉄鋼製釘等によって天井に固定されることができる。実際の応用において、知能型物干し枠箱体１が、ベランダの天井に固定されるか、または、室内の採光のよい区域の天井に固定されることによって、地面の空間を節約することができる。
【０００９】
物干し竿固定柱３の数量は２つであり、２つの物干し竿固定柱３は、知能型物干し枠箱体１の底部で平行に設けられ、物干し竿４は、２つの物干し竿固定柱３の間に接続される。知能型物干し枠箱体１と物干し竿固定柱３との間は２本の昇降ベルト２によって接続され、昇降ベルト２の頂端は、知能型物干し枠箱体１の内部に接続され、昇降ベルト２の底端は、物干し竿固定柱３の頂部に接続される。具体的には、昇降ベルト２の材質は、ゴムであることができ、昇降ベルト２と物干し竿固定柱３の頂部とはネジまたは係合によって接続されることができ、物干し竿固定柱３の材質をプラスチックとすることによって、知能型物干し枠箱体１が受ける引張力を軽減させることができる。物干し竿４の数量を２本またはその以上とすることができ、本実施例において、２つの物干し竿固定柱３の間に２本の平行な物干し竿４が設けられることによって、衣類が２列に干せて、一度に干せる衣類の数量を向上させることができる。なお、物干し竿４を、物干し竿固定柱３の外端面から伸長するようにして、干せる衣類の数量をさらに向上させることができる。
【００１０】
知能型物干し枠箱体１の内部には、主制御器１０と、温風ファン１１と、昇降ベルト駆動モジュールと、が設けられている。主制御器１０は温風ファン１１と接続され、温風ファン１１の出風口は物干し竿４に向いている。手動スイッチ５は、昇降ベルト駆動モジュールと接続され且つ昇降ベルト駆動モジュールのオン／オフを制御するためのものであり、昇降ベルト駆動モジュールは、昇降ベルト２と接続され且つ物干し竿４の上昇や下降を制御するためのものである。
【００１１】
具体的には、手動スイッチ５は、知能型物干し枠箱体１の下方区域の近くの壁面に設けられ、手動スイッチ５で昇降ベルト駆動モジュールの動作を制御することができる。例えば、使用者が衣類を掛けようとするときまたは取り外しようとするときに、手動スイッチ５で昇降ベルト駆動モジュールを制御して物干し竿４を下方へ移動させることによって、物干し竿固定柱３と物干し竿４とを適当な高さまで下降させて、使用者が衣類の掛けや取り外しを行う。使用者による衣類の掛けや取り外しが終了した後、手動スイッチ５で昇降ベルト駆動モジュールを制御して物干し竿４を上方へ移動させることによって、物干し竿固定柱３と物干し竿４とを適当な高さまで上昇させて、室内の床面上の空間の使用率を減少させる。
【００１２】
本実施例において、物干し竿４に十分な温風を提供するように、知能型物干し枠箱体１の内部に２つの温風ファン１１が設けられている。物干し竿固定柱３には、主制御器１０と接続され且つ物干し竿４の周囲の空気湿度を検出するための湿度センサー３１が設けられており、空気湿度が予め設定の湿度閾値よりも高い場合、主制御器１０は温風ファン１１が起動するように制御して、物干し竿４の周囲へ温風を出風させる。
【００１３】
具体的には、湿度センサー３１は、物干し竿４に掛けている衣類の近くの空気湿度を検出するとともに、使用者による衣類の掛けや取り外しのとき、濡れている衣類が湿度センサー３１に頻繁に接して湿度センサー３１が破損されるか、または、湿度センサー３１の検出結果の精度を低下させることを防止するために、物干し竿固定柱３の底部に設けられる。湿度センサー３１は、物干し竿４に掛けている衣類の近くの空気湿度を検出してから、検出された空気湿度値を主制御器１０に伝送し、主制御器１０は、この空気湿度値が予め設定の湿度閾値よりも高いか否かを判断し、この空気湿度値が予め設定の湿度閾値よりも高いと、主制御器１０は温風ファン１１が起動するように制御して、物干し竿４に掛かっている衣類へ温風を出風させ、これにより、衣類の近くの空気温度を上昇させるだけではなく、衣類の近くの空気流速を向上させて、衣類における水分の蒸発が加速されるので、空気が湿る南方地区でも、衣類を迅速に乾かすことができる。
【００１４】
選択的な実施の形態として、物干し竿固定柱３に、主制御器１０と接続され且つ物干し竿４の周囲の空気温度を検出するための温度センサー３２をさらに設けることができ、空気温度が予め設定の温度閾値よりも低い場合、主制御器１０は温風ファン１１が起動するように制御して、物干し竿４の周囲へ温風を出風させる。
【００１５】
具体的には、温度センサー３２は、物干し竿４に掛けている衣類の近くの空気温度を検出するとともに、使用者による衣類の掛けや取り外しのとき、濡れている衣類が温度センサー３２に頻繁に接して温度センサー３２が破損されるか、または、温度センサー３２の検出結果の精度を低下させることを防止するために、物干し竿固定柱３の底部に設けられる。温度センサー３２は、物干し竿４に掛けている衣類の近くの空気温度を検出してから、検出された空気温度値を主制御器１０に伝送し、主制御器１０は、この空気温度値が予め設定の温度閾値よりも低いか否かを判断し、この空気温度値が予め設定の温度閾値よりも低いと、主制御器１０は、温風ファン１１が起動するように制御して、物干し竿４に掛かっている衣類へ温風を出風させて、衣類の乾く速度を加速することができる。
【００１６】
選択的な実施の形態として、物干し竿固定柱３に、主制御器１０と接続され且つ物干し竿４の周囲の空気流速を検出するための風速センサー３３をさらに設けることができ、空気流速が予め設定の流速閾値よりも低い場合、主制御器１０は温風ファン１１が起動するように制御して、物干し竿４の周囲へ温風を出風させる。
【００１７】
具体的には、風速センサー３３は、物干し竿固定柱３の内側の中部に設けられ、物干し竿４に掛けている衣類の近くの空気流速を検出し、検出された空気流速値を主制御器１０に伝送する。主制御器１０は、この空気流速が予め設定の空気流速よりも低いか否かを判断し、この空気流速が予め設定の空気流速よりも低いと、主制御器１０は、温風ファン１１が起動するように制御して、物干し竿４に掛かっている衣類へ温風を出風させて、衣類表面での空気の流れを加速化して、衣類の乾く速度を向上させることができる。
【００１８】
選択的な実施の形態として、物干し竿固定柱３の底部に、主制御器１０と接続され且つ昇降ベルト２の下降過程において物干し竿４の下方に人間が近接しているかを検出するための焦電型赤外線センサー３４をさらに設け、物干し竿４の下方に人間が近接している場合、主制御器１０は、昇降ベルト２の下降が停止するように、昇降ベルト駆動モジュールを制御する。具体的には、焦電型赤外線センサー３４は、物干し竿固定柱３の底部の両端に設けられる。
【００１９】
使用者が手動スイッチ５を制御して物干し竿４を下降させる過程において、子どもが物干し竿４の下方区域に入った場合に物干し竿４の下降を直ちに停止させなければ、子どもを傷つけ易い。したがって、本実施例における焦電型赤外線センサー３４は、物干し竿４を下降させるときに物干し竿４の下方区域に人間が近接しているかを検出し、この検出結果を主制御器１０に伝送する。もし人間が近接していることを検出したら、主制御器１０は直ちに昇降ベルト駆動モジュールの動作が停止するように制御、または、昇降ベルト駆動モジュールが逆方向に運転するように制御して、物干し竿４の下降が続いて子どもの頭部に傷つけることを防止することができる。
【００２０】
また、上記の湿度センサー３１、温度センサー３２、風速センサー３３及び焦電型赤外線センサー３４の検出機能のオン／オフは、いずれも使用者が自分で設定することができ、湿度センサー３１、温度センサー３２、風速センサー３３及び焦電型赤外線センサー３４と、主制御器１０との間は、有線や無線の通信接続を確立することができる。
【００２１】
図５に示すように、物干し竿４には、物干し竿４の長手方向に均一に分布され且つ物干し竿４の頂部から下方に窪んだ凹槽４１が設けられている。使用者が衣類を干すときにハンガーを凹槽４１に掛けることで、外部の風などの影響によって衣類が集まることを防止することができる。ハンガーを凹槽４１に掛けることによって、衣類が空気と接触する表面積を広げて、衣類の乾く速度をさらに向上させることができる。
【００２２】
図６及び図７に示すように、知能型物干し枠箱体１の内部の両端には、それぞれ１つの昇降ベルト駆動モジュールが設けられており、昇降ベルト駆動モジュールは、従動ギア２２と、主動ギア２３と、モーター２４と、ギア付軸２５と、２つの昇降ベルト用ウインチ２１と、を備え、２つの昇降ベルト用ウインチ２１及び従動ギア２２はギア付軸２５に設けられ、従動ギア２２は２つの昇降ベルト用ウインチ２１の間に位置し、モーター２４は、その出力軸に設けられた主動ギア２３が従動ギア２２と噛合するように従動ギア２２の一側に設けられ、物干し竿固定柱３に接続された２本の昇降ベルト２の頂端は、それぞれ２つの昇降ベルト用ウインチ２１に接続される。
【００２３】
モーター２４は、主制御器１０及び手動スイッチ５とそれぞれ接続されて、手動スイッチ５でモーター２４を制御して昇降ベルト駆動モジュールを起動することもできるし、焦電型赤外線センサー３４が物干し竿４の下方区域に人間が近接しているときに主制御器１０が直ちに昇降ベルト駆動モジュールの動作を停止させるように制御、または、昇降ベルト駆動モジュールを逆方向に運転させるように制御することもできる。
【００２４】
モーター２４が作動すれば、主動ギア２３は従動ギア２２が回転するように連動させ、従動ギア２２の回転はギア付軸２５が回転するように連動させることによって、ギア付軸２５に設けられた昇降ベルト用ウインチ２１が回転して昇降ベルト２の巻き上げや巻き下げを行って、物干し竿４の上昇や下降を実現することができる。
【００２５】
図２及び図８に示すように、知能型物干し枠箱体１の内部には、手動スイッチ５と接続され且つ出風口が物干し竿４に向くイオンファン１２がさらに設けられている。衣類を干し乾かすとき、衣類の周囲環境が乾燥すれば、既に乾いた衣類、特に化繊セーターのような衣類に静電気が発生し易いので、使用者の装着に不便を与える。
【００２６】
この場合、手動スイッチ５でイオンファン１２を起動させて衣類へ出風させることができる。イオンファン１２は、正負電荷を持つ大量の気流を発生させて衣類における電荷を中和させる。衣類表面に持つ電荷が負電荷である場合には気流中の正電荷を吸収し、衣類表面に持つ電荷が正電荷である場合には気流中の負電荷を吸収して、衣類表面における静電気は中和され、静電気を除去する目的を達成することができる。
【００２７】
知能型物干し枠箱体１の内部には、手動スイッチ５と接続され且つ底部が物干し竿４に向く殺菌用ＵＶランプ１３がさらに設けられている。使用者が衣類に対する消毒や殺菌が必要な場合、手動スイッチ５で殺菌用ＵＶランプ１３を起動させて衣類に対して紫外線を照射して殺菌を行うことができる。
【００２８】
知能型物干し枠箱体１の内部には、手動スイッチ５と接続され且つ底部が物干し竿４に向くＬＥＤランプ１４がさらに設けられている。室内の光線が比較暗い場合、手動スイッチ５でＬＥＤランプ１４を起動させて照明を提供して、使用者に衣類の掛けや取り外しに対する利便性を提供するとともに、室内照明のオンによる他人の睡眠に対する影響を防止することができる。
【００２９】
図９に示したように、知能型物干し枠は、主制御器１０と通信接続され且つ温風ファン１１、昇降ベルト駆動モジュール、イオンファン１２、殺菌用ＵＶランプ１３及びＬＥＤランプ１４のオン／オフを制御するための移動制御端末６をさらに備えることができる。移動制御端末６は、スマトフォン、タブレットＰＣなどであることができ、使用者は移動制御端末６で知能型物干し枠に対して遠隔制御を行うことができる。
【００３０】
上記の技術事項によれば、本願の実施例に係る知能型物干し枠は、手動スイッチ５で物干し竿４の上昇や下降を制御するとともに、物干し竿４に掛けている衣類の近くの空気湿度、空気温度や空気流速に基づいて温風ファン１１で衣類の近くの空気温度及び空気流速を知能的に向上させることによって、衣類の乾く速度を向上させることができる。さらに、イオンファン１２で衣類に対して静電を除去することができ、殺菌用ＵＶランプ１３で衣類に対して殺菌や消毒を行うことができ、夜間において使用者が衣類の掛けや取り外しを行うときにＬＥＤランプ１４で照明を提供することができる。また、焦電型赤外線センサー３４を設けることによって、物干し竿４の下方区域に子どもが入った場合に物干し竿４を知能的に制御してその下降を停止させて、知能型物干し枠の使用過程における安全性を確保することができる。
【符号の説明】
【００３１】
１      知能型物干し枠箱体
１０    主制御器
１１    温風ファン
１２    イオンファン
１３    殺菌用ＵＶランプ
１４    ＬＥＤランプ
２      昇降ベルト
２１    ２つの昇降ベルト用ウインチ
２２    従動ギア
２３    主動ギア
２４    モーター
２５    ギア付軸
３      物干し竿固定柱
３１    湿度センサー
３２    温度センサー
３３    風速センサー
３４    焦電型赤外線センサー
４      物干し竿
４１    凹槽
５      手動スイッチ
６      移動制御端末
【図１】
0003221820.tif 000003
【図２】
0003221820.tif 000004
【図３】
0003221820.tif 000005
【図４】
0003221820.tif 000006
【図５】
0003221820.tif 000007
【図６】
0003221820.tif 000008
【図７】
0003221820.tif 000009
【図８】
0003221820.tif 000010
【図９】
0003221820.tif 000011